(57)【要約】【課題】既に送信先に選択した宛先を送信先から削除するなどの変更操作を少ない操作ステップで行うことのできる画像送信装置を提供する。【解決手段】送信先選択画面において選択された送信先の一覧（送信先リスト）を原稿の読み取り条件を設定するための読込み設定画面４０の一部の領域（送信先一覧表示領域６０）に表示すると共に、この送信先リストの中から送信先を選択してその送信先を画像の送信先から削除する操作や宛先名が同一で送信方法が同一の宛先を送信先に追加する操作などを、読込み設定画面４０にて受け付ける。【選択図】図７
2008259143.tif 000002
【特許請求の範囲】
【請求項１】
画像を送信する送信部と、
画像の宛先情報が予め記憶された宛先情報記憶部と、
画面の表示とユーザ操作の受け付けを行う操作表示部と、
前記操作表示部の表示内容を制御する制御部と、
を備え、
前記制御部は、前記宛先情報記憶部に記憶されている前記宛先情報に基づいて表示した宛先の中から前記画像の送信先に設定する宛先の選択操作を受ける宛先表示領域と選択された送信先の一覧を表示する一覧表示領域とが互いに重なることなく設けられた送信先選択画面を前記操作表示部に表示すると共に、前記一覧の中から送信先を選択してその送信先を前記画像の送信先から削除する操作を受け付ける
ことを特徴とする画像送信装置。
【請求項２】
前記制御部は、前記送信先選択画面と別の画面とを前記操作表示部に切り替え表示し、前記別の画面では前記一覧を表示しかつ該一覧の中から送信先を選択してその送信先を前記画像の送信先から削除する操作を受け付ける
ことを特徴とする請求項１に記載の画像送信装置。
【請求項３】
画像を送信する送信部と、
画面の表示とユーザ操作の受け付けを行う操作表示部と、
前記操作表示部の表示内容を制御する制御部と、
を備え、
前記制御部は、前記画像の送信先の選択操作を受け付ける送信先選択画面と別の画面を前記操作表示部に切り替え表示し、前記送信先選択画面では複数の送信先の選択を受け付け、前記別の画面では前記送信先選択画面で選択された送信先の一覧を表示すると共に該一覧の中から送信先を選択してその送信先を前記画像の送信先から削除する操作を受け付ける
ことを特徴とする画像送信装置。
【請求項４】
画像の読み取り部を備え、
前記送信部は、前記読み取り部で読み取った画像を送信し、
前記別の画面は、前記読み取り部による画像の読み取り条件に関する設定操作を受け付ける画面である
ことを特徴とする請求項２または３に記載の画像送信装置。
【請求項５】
前記送信先選択画面と前記別の画面において前記一覧を同一の場所に同一の表示形態で表示する
ことを特徴とする請求項２乃至４のいずれか１つに記載の画像送信装置。
【請求項６】
前記送信部は画像を複数の送信方法で送信可能であり、
前記制御部は、前記一覧の中から送信先を選択して該送信先と宛先名が同一で送信方法が異なる宛先を前記画像の送信先に追加する操作を受け付ける
ことを特徴とする請求項１乃至５のいずれか１つ記載の画像送信装置。
【請求項７】
前記送信部は画像を複数の送信方法で送信可能であり、
前記制御部は、前記一覧の中から送信先を選択して該送信先の代わりに該送信先と宛先名が同一で送信方法が異なる宛先を送信先に設定する操作を受け付ける
ことを特徴とする請求項１乃至５のいずれか１つ記載の画像送信装置。
【請求項８】
前記送信部は画像を複数の送信方法で送信可能であり、
前記制御部は、選択された送信先を前記一覧に送信方法別にグループ分けして表示する
ことを特徴とする請求項１乃至５のいずれか１つ記載の画像送信装置。
【請求項９】
前記送信部は画像を複数の送信方法で送信可能であり、
前記制御部は、宛先名が同一で送信方法が異なる複数の送信先が選択されている場合は、選択された送信先を前記一覧に宛先名別にグループ分けして表示する
ことを特徴とする請求項１乃至５のいずれか１つ記載の画像送信装置。
【請求項１０】
前記グループ分けした各グループ内では、送信先に選択された時系列に従って送信先を列挙する
ことを特徴とする請求項８または９に記載の画像送信装置。
【請求項１１】
前記一覧の表示用に割り当てられた表示領域内に前記一覧の全送信先を同時に表示できない場合は、ページめくり操作もしくはスクロール操作を受け付け、該操作に応じて前記表示領域内に表示する送信先を変更する
ことを特徴とする請求項１乃至１０のいずれか１つに記載の画像送信装置。
【発明の詳細な説明】
【技術分野】
【０００１】
本発明は、指定された送信先へ画像を送信する画像送信装置に関する。
【背景技術】
【０００２】
原稿をスキャナ部で読み取って得た画像などを電子メールに添付して送信したり、ＦＴＰ（File Transfer Protocol）などのプロトコルを使用して外部装置に送信したり、ハードディスク装置に保存したりする機能を備えた画像送信装置がある。また、宛先毎に、宛先名、アドレス、送信方法などの宛先情報をアドレス帳として予め登録しておき、その登録されている宛先の中から画像の送信先を選択できるようにした画像送信装置もある。
【０００３】
近年はメモリ容量の増加から、アドレス帳として記憶可能な宛先が５０００件を超える装置も珍しくなく、かかる装置ではアドレス帳の中から目的の宛先を探し出す作業が煩雑になる。そこで、宛先名の頭文字で宛先をグループ分けするなどによって宛先の検索性を高める工夫がなされた装置もある。また、電子メール、ＦＡＸ（ファクシミリ）などの送信方法を指定すると、その送信方法に該当する宛先の情報を表示するようにした文書送信装置なども提案されている（たとえば、特許文献１参照。）図１１は、このような送信先選択画面５００の一例であり、送信方法選択ボタン５０１によりＥ-Ｍａｉｌ、ＦＴＰなどの送信方法を選択し、頭文字ボタン５０２によって宛先名の頭文字を選択するなどして宛先を絞り込んで表示させ、その中から該当の宛先を選択するとその宛先が送信先に設定されるようになっている。
【０００４】
【特許文献１】特開平９−２１４７１８号公報
【発明の開示】
【発明が解決しようとする課題】
【０００５】
上述したように、多数の宛先の中から送信先を選択する際の利便性を高める工夫はなされているが、従来は既に送信先に選択されている宛先を送信先から削除する場合にも、送信先を選択する場合と同様の操作、すなわち、アドレス帳の中から該当の宛先を見つけ出して送信先の設定を解除するといった操作を行わなければならず、煩雑で使い難いという問題があった。
【０００６】
また、原稿を読み取って得た画像を送信する場合には、ジョブの投入作業として、原稿の読み取り条件に関する設定と読み取った画像の送信先の選択とを行う必要があるが、これらの作業は、読み取り条件の設定は読込み設定画面で行い、送信先の選択は送信先選択画面で行うというように個別の画面に遷移して行われていた。また、既に送信先に選択されている宛先を送信先から削除する作業も送信先選択画面に遷移して行われていた。
【０００７】
たとえば、図１２に示すように、従来の読込み設定画面５１０には１つの送信先（送信先参照欄５１１）のみ表示されており、この送信先や他の送信先に関して削除や送信先の変更などを行う場合には、送信先ボタン５１２を操作して別途の画面に遷移して送信先の設定を解除するようになっていた。
【０００８】
このため、たとえば、送信先選択画面で選択した１０件の送信先の中に間違えて選択したものが含まれていることに読込み設定画面に戻ってから気づいた場合には、送信先選択画面に再び遷移し、アドレス帳の中からその宛先を見つけ出して送信先の設定を解除するといった操作を行わなければならず、煩雑で使い難くかった。なお、読み取り条件の設定画面に限らず、送信先を選択する画面とその画像を送信するための他の設定を行うための画面とが別の画面の場合に上記と同様の問題が発生する。
【０００９】
本発明は、上記の問題を解決しようとするものであり、既に送信先に選択した宛先を送信先から削除するなどの変更操作を少ない操作ステップで行うことのできる画像送信装置を提供することを目的としている。
【課題を解決するための手段】
【００１０】
かかる目的を達成するための本発明の要旨とするところは、次の各項の発明に存する。
【００１１】
［１］画像を送信する送信部と、
画像の宛先情報が予め記憶された宛先情報記憶部と、
画面の表示とユーザ操作の受け付けを行う操作表示部と、
前記操作表示部の表示内容を制御する制御部と、
を備え、
前記制御部は、前記宛先情報記憶部に記憶されている前記宛先情報に基づいて表示した宛先の中から前記画像の送信先に設定する宛先の選択操作を受ける宛先表示領域と選択された送信先の一覧を表示する一覧表示領域とが互いに重なることなく設けられた送信先選択画面を前記操作表示部に表示すると共に、前記一覧の中から送信先を選択してその送信先を前記画像の送信先から削除する操作を受け付ける
ことを特徴とする画像送信装置。
【００１２】
上記発明では、送信先選択画面には、宛先情報記憶部に記憶されている宛先情報に基づいて選択候補の宛先が表示されており、これらの宛先の中から画像の送信先を選択すると、該選択された送信先は送信先選択画面内に設けられた一覧表示領域の送信先一覧に追加表示される。また、この送信先一覧の中から送信先を選択して所定の操作を行うとその送信先は画像の送信先から削除される。これにより、たとえば、所定の検索条件で絞り込んだ宛先群を宛先表示領域に表示させ、その中から該当の宛先を選択し、送信先として設定を解除するといった操作を行う場合に比べて、送信先の削除に係る操作ステップが少なくなり、操作性が高まる。
【００１３】
［２］前記制御部は、前記送信先選択画面と別の画面とを前記操作表示部に切り替え表示し、前記別の画面では前記一覧を表示しかつ該一覧の中から送信先を選択してその送信先を前記画像の送信先から削除する操作を受け付ける
ことを特徴とする［１］に記載の画像送信装置。
【００１４】
上記発明では、送信先の一覧は送信先選択画面と切り替え表示される別の画面の一部にも表示され、該別の画面に表示された送信先の一覧の中からも送信先を選択して画像の送信先から削除することができる。
【００１５】
［３］画像を送信する送信部と、
画面の表示とユーザ操作の受け付けを行う操作表示部と、
前記操作表示部の表示内容を制御する制御部と、
を備え、
前記制御部は、前記画像の送信先の選択操作を受け付ける送信先選択画面と別の画面を前記操作表示部に切り替え表示し、前記送信先選択画面では複数の送信先の選択を受け付け、前記別の画面では前記送信先選択画面で選択された送信先の一覧を表示すると共に該一覧の中から送信先を選択してその送信先を前記画像の送信先から削除する操作を受け付ける
ことを特徴とする画像送信装置。
【００１６】
上記発明では、送信先選択画面で選択した送信先の一覧が送信先選択画面と切り替え表示される別の画面の一部に表示され、該別の画面に表示された送信先一覧の中から送信先を選択して画像の送信先から削除することができる。
【００１７】
［４］画像の読み取り部を備え、
前記送信部は、前記読み取り部で読み取った画像を送信し、
前記別の画面は、前記読み取り部による画像の読み取り条件に関する設定操作を受け付ける画面である
ことを特徴とする［２］または［３］に記載の画像送信装置。
【００１８】
上記発明では、読み取り部での画像の読み取り条件に関する設定操作を受け付ける画面の一部に送信先の一覧が表示され、この画面から送信先を削除することができる。
【００１９】
［５］前記送信先選択画面と前記別の画面において前記一覧を同一の場所に同一の表示形態で表示する
ことを特徴とする［２］乃至［４］のいずれか１つに記載の画像送信装置。
【００２０】
上記発明では、送信先一覧は送信先選択画面と別の画面との同じ場所に同じ表示形態で表示される。すなわち、画面が切り替わっても送信先の一覧は常駐するように表示される。
【００２１】
［６］前記送信部は画像を複数の送信方法で送信可能であり、
前記制御部は、前記一覧の中から送信先を選択して該送信先と宛先名が同一で送信方法が異なる宛先を前記画像の送信先に追加する操作を受け付ける
ことを特徴とする［１］乃至［５］のいずれか１つ記載の画像送信装置。
【００２２】
上記発明では、送信先の一覧の中から送信先を選択し、該送信先と宛先名が同一で送信方法が異なる宛先を画像の送信先に追加することができる。
【００２３】
［７］前記送信部は画像を複数の送信方法で送信可能であり、
前記制御部は、前記一覧の中から送信先を選択して該送信先の代わりに該送信先と宛先名が同一で送信方法が異なる宛先を送信先に設定する操作を受け付ける
ことを特徴とする［１］乃至［５］のいずれか１つ記載の画像送信装置。
【００２４】
上記発明では、送信先の一覧の中から送信先を選択し、この送信先に対する送信方法を変更することができる。
【００２５】
［８］前記送信部は画像を複数の送信方法で送信可能であり、
前記制御部は、選択された送信先を前記一覧に送信方法別にグループ分けして表示する
ことを特徴とする［１］乃至［５］のいずれか１つ記載の画像送信装置。
【００２６】
上記発明では、送信方法別にグループ分けされて送信先一覧が表示される。
【００２７】
［９］前記送信部は画像を複数の送信方法で送信可能であり、
前記制御部は、宛先名が同一で送信方法が異なる複数の送信先が選択されている場合は、選択された送信先を前記一覧に宛先名別にグループ分けして表示する
ことを特徴とする［１］乃至［５］のいずれか１つ記載の画像送信装置。
【００２８】
上記発明では、宛先名が同一で送信方法が異なる複数の送信先が設定されている場合に、宛先名でグループ化して送信先一覧が表示される。
【００２９】
［１０］前記グループ分けした各グループ内では、送信先に選択された時系列に従って送信先を列挙する
ことを特徴とする［８］または［９］に記載の画像送信装置。
【００３０】
上記発明では、たとえば、送信先に先に選択された宛先が各グループ内で上位に表示される。
【００３１】
［１１］前記一覧の表示用に割り当てられた表示領域内に前記一覧の全送信先を同時に表示できない場合は、ページめくり操作もしくはスクロール操作を受け付け、該操作に応じて前記表示領域内に表示する送信先を変更する
ことを特徴とする［１］乃至［１０］のいずれか１つに記載の画像送信装置。
【００３２】
上記発明では、限られた表示領域において送信先一覧の任意の箇所を確認することができる。
【発明の効果】
【００３３】
本発明に係る画像送信装置によれば、送信先の一覧を表示すると共に、この一覧の中から送信先を選択して該送信先を画像の送信先から削除することができるので、少ない操作ステップで所望の送信先を画像の送信先から削除することができる。
【００３４】
また、送信先選択画面で選択した送信先の一覧を、画像の読み取り条件を設定する画面などの別の画面の一部に表示し、該別の画面においてもその一覧の中から送信先を選択して削除する操作を受け付けるものでは、読込み設定画面などの別の画面から直接送信先を削除することができ、操作性・利便性が向上する。
【発明を実施するための最良の形態】
【００３５】
以下、図面に基づき本発明の実施の形態を説明する。
【００３６】
図１は、本発明の一実施の形態に係る画像送信装置１０の概略構成を示している。画像送信装置１０は、原稿を光学的に読み取った画像を外部に送信する画像送信機能、その画像を内部の記憶装置に不揮発に保存する画像保存機能、その画像を記録紙に印刷して出力するコピー機能などを備えた複合機として構成されている。
【００３７】
画像送信装置１０は、本体制御部２０にスキャナ部１１と、プリンタ部１２と、ユーザインターフェースを司る操作表示部１３と、ＦＮＳ制御部１４とを接続して構成される。プリンタ部１２の後段には、プリンタ部１２から排出された記録紙に折り、綴じ、穴あけなどの後処理を施す図示省略の後処理装置が接続されることがあり、ＦＮＳ制御部１４はその後処理装置を制御する役割を果たす。
【００３８】
スキャナ部１１は、原稿を光学的に読み取って画像データを取得する機能を果たす。スキャナ部１１は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーなどからなる光学経路とを備えている。
【００３９】
プリンタ部１２は、画像データに応じた画像を記録紙に印刷する機能を果たす。ここでは、プリンタ部１２は、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。
【００４０】
操作表示部１３は、表面にタッチパネルを備えた液晶ディスプレイ（ＬＣＤ…Liquid Crystal Display）とスタートボタンなどの操作スイッチとから構成され、各種の操作画面や設定画面、案内画面を表示したり、ユーザから各種の操作を受け付けたりする。画像送信装置１０は操作表示部１３を通じてユーザから、スキャナ部１１での画像の読み取り条件に関する設定操作や画像の送信先を設定変更する操作などジョブの投入に関連する各種の操作を受け付ける。
【００４１】
本体制御部２０は、画像送信装置１０の動作を統括制御する制御部としての機能を果たす制御ＣＰＵ（Central Processing Unit）２１を備えている。制御ＣＰＵ２１には互いに独立した画像バス２２とシステムバス２３とが接続されている。
【００４２】
画像バス２２には読み取り処理部２４と書き込み処理部２５が接続されている。読み取り処理部２４は、スキャナ部１１から入力される画像データに対して逐次、シーディング補正／輝度濃度変換、濃度γ変換、誤差拡散などの画像処理を施す回路である。書き込み処理部２５はプリンタ部１２へ出力される画像データに対して、セル平均化、解像度変換、プリンタγ変換、微小変倍、スクリーン処理などの画像処理を施す回路である。
【００４３】
システムバス２３には、プログラムメモリ２６と、システムメモリ２７と、不揮発メモリ２８と、表示用メモリであるＶＲＡＭ３１と、ＬＣＤコントローラ３２と、ハードディスク装置３３と、送信部３５とが接続されている。プログラムメモリ２６はプログラムを格納し、このプログラムに従って制御ＣＰＵ２１が各種の処理を実行する。システムメモリ２７は制御ＣＰＵ２１がプログラムを実行する際に各種のデータを一時的に格納するワークメモリや画像メモリとして使用される。
【００４４】
ＶＲＡＭ(video Random Access Memory）３１は、操作表示部１３の液晶ディスプレイ（ＬＣＤ）に表示させる画面のデータを記憶するためのメモリである。ＬＣＤコントローラ３２はＶＲＡＭ３１に記憶されているデータに基づいて画面を操作表示部１３の液晶ディスプレイ（ＬＣＤ）に表示させる制御を行う。操作表示部１３に表示される各種画面は、制御ＣＰＵ２１が画面データをＶＲＡＭ３１に作成し、この画面データに基づいてＬＣＤコントローラ３２が操作表示部１３に画面を表示させるという制御により表示される。
【００４５】
ハードディスク装置３３は大容量の不揮発記憶装置である。ハードディスク装置３３はスキャナ部１１で読み取った画像の保存する場合の保存先などとして利用される。
【００４６】
送信部３５は、画像（画像データ）を外部装置にネットワークや通信回線を通じて送信する機能を果たす。送信部３５は、電子メールに画像を添付して送信する機能、ＦＴＰやＳＭＢ（Server Message Block）による画像の送信機能などを備えており、複数の送信方法で画像を送信可能に構成されている。
【００４７】
不揮発メモリ２８には、画像の送信先にされる宛先の宛先情報やユーザ情報などが記憶されるほか、電源がオフしても保存しておくべきその他の情報（使用度数を示すカウンタなど）が記憶される。宛先情報は、各宛先の宛先名、ネットワークアドレスや電話番号などのアドレス情報、送信方法（電子メール・ＦＴＰ、ＳＭＢなど）を示す送信タイプ情報などで構成され、アドレス帳の形式にされて不揮発メモリ２８に記憶されている。
【００４８】
次に、画像送信装置１０の動作をその画面表示と共に説明する。
【００４９】
スキャナ部１１で原稿を読み取ってその画像を外部装置へ送信するジョブを画像送信装置１０に実行させる場合、ユーザが原稿をスキャナ部１１にセットした後、スキャナ部１１による原稿の読み取り条件の設定操作と、送信先の選択操作とを行い、それらの操作が確定したらスタートボタンを押下するといった流れでジョブの投入操作が行われる。
【００５０】
図２は、スキャナ部１１での読み取り条件に関する設定操作をユーザから受け付ける読込み設定画面４０の一例を示している。なお、操作表示部１３に表示される各画面の上部には、横一列に配列されたタグボタン５１と、画像送信装置１０の現在の状態に関する基本事項を表示するための基本情報表示部５２が設けられている。タグボタン５１を選択することで基本情報表示部５２より下部の表示が切り替わるようになっている。
【００５１】
読込み設定画面４０は、スキャナのタグボタン５１ｂが操作されると表示される。読込み設定画面４０では基本情報表示部５２の下方の右側４分の３の領域は読み取り条件の設定操作を受け付ける読込み設定領域４０ａになっており、その左側は送信先リストの表示などが行う送信先一覧表示領域６０になっている。
【００５２】
読込み設定領域４０ａには、原稿設定４１、画質設定４２、倍率設定４３、応用設定４４、読込みサイズ４５、解像度４６、両面設定４７、ファイルフォーム４８の各設定欄が設けられている。原稿設定４１では原稿の読み込み方法(連続・単葉)やスキャナ部１１にセットされた原稿の向きに関する設定が行われる。画質設定４２では読み込み濃度などに関する設定が行われる。応用設定４４では原稿外領域自動消去などの特殊機能に関する設定が行われる。ファイルフォーム４８では読み取った画像をファイル化する際のファイル形式に関する設定などが行われる。各設定欄４１〜４８には設定のための案内情報や操作ボタンが表示されるほか、各設定項目に対する現時点の設定内容が表示されている。
【００５３】
読込み設定領域４０ａにおいて上記の各設定項目に関する設定がユーザにより行われる。読込み設定領域４０ａの下方には、読み取った画像の送信先を選択する送信先設定画面へ遷移するための送信先設定画面へボタン５５が表示されている。送信先一覧表示領域６０のリスト部６１は、送信先に選択された宛先の一覧(送信先リスト)が表示される領域である。図２に示す読込み設定領域４０ａは送信先が未選択の状態であり、リスト部６１に送信先リストは表示されていない。
【００５４】
図３は、図２の読込み設定画面４０にて送信先設定画面へボタン５５を操作することにより表示される送信先選択画面７０の一例を示している。送信先選択画面７０には、読込み設定画面４０と同じ位置に同じ表示態様で送信先一覧表示領域６０が設けられている。送信先一覧表示領域６０の右側には、絞り込みされた宛先を表示し、その中から送信先に設定する宛先の選択操作を受け付ける宛先表示領域７１が設けられている。
【００５５】
宛先表示領域７１の上部には送信方法を選択するための送信方法選択ボタン７２が横一列に配置されている。詳細にはＥ−Ｍａｉｌボタン７２ａは、送信方法として電子メールを選択するボタンであり、ＨＤＤボタン７２ｂはハードディスク装置３３内のフォルダが送信先に設定される送信方法の選択ボタンであり、ＦＴＰボタン７２ｃは送信方法としてＦＴＰによる転送を選択するボタンである。ＳＭＢボタン７２ｄは送信方法としてＳＭＢによる転送を選択するボタンであり、グループボタン７２ｅは、複数の宛先が登録されたグループ単位に送信先を選択するためのボタンである。
【００５６】
これら送信方法選択ボタン７２の下方には、宛先名を「かな」文字で検索するか「英数字」で検索するかなど宛先名の検索方法を選択するための検索文字タイプ選択ボタン７３が配置されている。図３の例では「かな」が選択されている。
【００５７】
検索文字タイプ選択ボタン７３の下方の宛先列挙領域７４には、送信方法選択ボタン７２で選択された送信方法に対応する宛先のうち、検索文字タイプ選択ボタン７３で選択された文字タイプによって宛先名が登録されている宛先に対応した個別宛先ボタン７５が列挙される。宛先列挙領域７４には、個別宛先ボタン７５として表示する宛先を、宛先の頭文字の音により「あ行」、「か行」のように小分類して表示するようになっている。図３の例では、「あ行」が選択され、「あ行」の文字を宛先名の頭文字に有する宛先の個別宛先ボタン７５が列挙され表示されている。なお、「あ行」のように小分類してもそのすべての宛先を宛先列挙領域７４に表示できない場合は、上下キー７６を操作することで表示される宛先をページめくりにより切り替えることができるようになっている。  このようにして、宛先列挙領域７４には送信方法、文字タイプ、「あ行」などの小分類によって絞り込みされた宛先が表示される。
【００５８】
宛先列挙領域７４に表示された中のいずれかの個別宛先ボタン７５をユーザが選択操作（その箇所に指で触れて選択）すると、その宛先が送信先に設定され、送信先一覧表示領域６０のリスト部６１の送信先リストに追加表示される。
【００５９】
ユーザは、上記のような絞り込み操作および選択操作を繰り返すことにより、複数の宛先を画像の送信先に選択することができる。図３の例では多数の宛先が送信先に選択されている。リスト部６１の送信先リストには、送信先毎にその送信先への送信方法と宛先名とが関連付けされて横一行に表示されている。送信方法は絵柄や文字列によって表示される。この例ではＥ-Ｍａｉｌの場合は封筒の絵柄により送信方法が表示され、その他は文字で送信方法が表示されている。
【００６０】
送信先リストは、送信先が送信方法別もしくは宛先名別にグループ化されて表示される。図３は送信方法別にグループ化した場合の表示例であり、リスト部６１の上部に送信方法がＥ-Ｍａｉｌの送信先（５箇所）がグループ化（集約）されて表示され（Ｇ１）、その下方に送信方法が「ＨＤＤ」の送信先（２箇所）がグループ化（集約）されて表示され（Ｇ２）、その下方に送信方法が「ＦＴＰ」の送信先が１箇所、さらにその下方に送信方法が「ＳＭＢ」の送信先が１箇所、さらにその下方に２つの宛先グループが集約されて表示されている。各グループ内では、送信先に選択された時系列に従って、すなわち選択された時刻の早い順に、送信先が配列されている。
【００６１】
図４は、宛先名別にグループ化して表示した場合の送信先リストの表示例である。たとえば、宛先名「小沼」の送信先には送信方法がＥ-Ｍａｉｌの送信先と送信方法がＨＤＤの送信先があることが、宛先名「小沼」によってグループ化（Ｇ３）されて表示されることにより認識し易くなっている。なお、送信方法別にグループ化して表示するか宛先名別にグループ化して表示するかは送信先一覧表示領域６０の上部にある表示切替ボタン６２の操作により切り替わるようになっている。なお、宛先名別の場合にも各グループ内では、その宛先が送信先に選択された時系列に従って、すなわち選択された時刻の早い順に、送信先が配列されている。
【００６２】
また、送信先に選択されている宛先数が多く、リスト部６１に送信先リスト全体を一度に表示できない場合は上下キー６３が有効になり、送信先リストのうちリスト部６１に表示される部分を上下キー６３の操作に応じてページめくりあるいは上下にスクロールさせて切り替えることができるようになっている。
【００６３】
さらに、この画像送信装置１０では、リスト部６１に表示されている送信先リストの中から送信先を直接選択し、該選択した送信先に対して、送信先から削除（送信先としての設定を解除)したり、同一宛先名で送信方法の異なる宛先を送信先に追加したり、送信方法を変更したりするといった変更操作の受け付けが可能に構成されている。ここでは、ユーザがリスト部６１に表示されている送信先リストの中のいずれかの送信先に指で触れると、その送信先が選択されてアクティブになる。
【００６４】
ユーザが送信先リストの中から送信先を選択した後、リスト部６１の下方に配置されている変更ボタン６４を操作するとその選択されてアクティブになっている送信先に関連した送信方法の変更操作が可能となり、削除ボタン６５を操作するとアクティブになっている送信先を送信先から削除（送信先としての設定を解除）する操作を行うことができる。
【００６５】
図５は、リスト部６１に表示された送信先リストの中からいずれかの送信先を選択してアクティブにした状態で削除ボタン６５を操作した場合に削除確認画面８０がポップアップ表示された様子を例示している。削除確認画面８０には削除内容の説明文８１、「はい」ボタン８２、「いいえ」ボタン８３が表示される。「はい」ボタン８２が操作されるとリスト部６１にて選択されてアクティブになっている送信先を送信先リストから削除した後、削除確認画面８０を閉じる。「いいえ」ボタン８３が操作されると、送信先の削除は行わずに削除確認画面８０を閉じる。またリスト部６１での送信先の選択状態を解除する。
【００６６】
図６は、リスト部６１に表示された送信先リストの中からいずれかの送信先を選択してアクティブにした状態で変更ボタン６４が操作されたことにより変更画面９０がポップアップ表示された様子を例示している。変更画面９０には変更対象の送信先に関する説明文９１が表示されると共に、可能な変更操作の内容を示す変更操作ボタン９２が列挙される。
【００６７】
この例では、リスト部６１にてアクティブにされた送信先はその送信方法がＥ-Ｍａｉｌで宛先名「大山」であり、このアクティブな送信先と宛先名が同じ「大山」であって送信方法がＨＤＤの宛先を新たな送信先として追加するための変更操作ボタン９２ａと、宛先名が「大山で」送信方法がＦＴＰの宛先を新たな送信先として追加するための変更操作ボタン９２ｂと、選択されている送信先を宛先名が同一であって送信方法がＨＤＤの宛先に変更するための変更操作ボタン９２ｃと、選択されている送信先を宛先名が同一であって送信方法がＦＴＰの宛先に変更するための変更操作ボタン９２ｄとが表示されている。
【００６８】
なお、宛先名「大山」で送信方法がＳＭＢの宛先は不揮発メモリ２８のアドレス帳に登録されていないため、それに対応する変更操作ボタン９２は表示されていない。
【００６９】
図６の例で変更操作ボタン９２ａが操作されると、制御ＣＰＵ２１は、宛先名が「大山」で送信方法がＨＤＤの宛先を送信先に追加して変更画面９０を閉じる。変更操作ボタン９２ｂが操作されると、宛先名が「大山」で送信方法がＦＴＰの宛先を送信先に追加して変更画面９０を閉じる。変更操作ボタン９２ｃが操作されると、現在選択されているアクティブな送信先（宛先名が「大山」で送信方法Ｅ-Ｍａｉｌ）を送信先から削除しかつ宛先名が同じ「大山」であって送信方法がＨＤＤの宛先を送信先に追加して変更画面９０を閉じる。変更操作ボタン９２ｄが操作されると、現在選択されているアクティブな送信先を送信先から削除しかつ宛先名「大山」であって送信方法がＦＴＰの宛先を送信先に追加して変更画面９０を閉じる。キャンセルボタン９３が操作されると、変更操作を行わずに変更画面９０を閉じる。
【００７０】
図３もしくは図４の送信先選択画面７０において、その下部に表示されている読込み設定画面へボタン７８が操作されると、制御ＣＰＵ２１は操作表示部１３の表示する画面を読込み設定画面４０に切り替える。
【００７１】
図７は、送信先選択画面７０において送信先が設定された後に表示された読込み設定画面４０Ｂの一例を示している。読込み設定画面４０Ｂの送信先一覧表示領域６０のリスト部６１には送信先選択画面７０で設定された送信先が送信先リストになって一覧表示されている。リスト部６１などを含む送信先一覧表示領域６０は、送信先選択画面７０と読込み設定画面４０Ｂとで画面内の同じ位置に同じ表示形態で表示されており、画面が遷移しても常駐するように表示されている。
【００７２】
ユーザは読込み設定画面４０に表示された送信先一覧表示領域６０においても、送信先選択画面７０に表示された送信先一覧表示領域６０での操作と同じ操作を行うことができる。すなわち、表示切替ボタン６２を操作することでグループ化の方法を変更して送信先リストを表示することができる。また上下キー６３を操作することでリスト部６１に表示される送信先リストをページめくりしたりスクロールさせたりすることができる。
【００７３】
リスト部６１に表示されている送信先リストの中から任意の送信先を選択してアクティブにした状態で削除ボタン６５を操作すると、図８に示すように読込み設定画面４０Ｂの上に削除確認画面８０がポップアップ表示され、アクティブになっている送信先の削除を行うことができる。また、リスト部６１の中から任意の送信先を選択してアクティブにした状態で変更ボタン６４を操作すると、図６に示したものと同じ変更画面９０が読込み設定画面４０Ｂの上にポップアップ表示され、図６で説明したと同様に追加や変更操作を行うことができる。
【００７４】
図９は、送信先選択画面７０での送信先の選択および送信先リストからの削除や変更操作に関して当該画像送信装置１０の制御ＣＰＵ２１が行う処理の流れを示している。制御ＣＰＵ２１は、送信先選択画面７０において、送信方法選択ボタン７２による送信方法の選択、検索文字タイプ選択ボタン７３による検索文字タイプの選択、「あ行」などの選択操作に応じて絞り込みされた宛先の個別宛先ボタン７５を宛先列挙領域７４に表示する。表示中のいずれかの個別宛先ボタン７５がユーザによって選択されると（ステップＳ２０１；Ｙ）、その新たな選択された送信先を送信先一覧表示領域６０のリスト部６１に表示している送信先リストに追加表示する(ステップＳ２０２)。
【００７５】
リスト部６１に表示している送信先リストの中からいずれかの送信先がユーザにより選択されると(ステップＳ２０３；Ｙ)、その選択された送信先のリスト部６１内での表示態様を選択状態（アクティブ）に変更する（ステップＳ２０４）。その後、アクティブにされた送信先が存在する状態で削除ボタン６５が選択（押下）されると(ステップＳ２０５；Ｙ)、削除確認画面８０をポップアップ表示する(ステップＳ２０６)。
【００７６】
削除確認画面８０において「はい」ボタン８２が操作された場合は（ステップＳ２０７；Ｙ、Ｓ２０８；Ｙ）、アクティブになっている送信先を送信先リストから削除しかつ送信先としての設定を解除して削除確認画面８０を閉じる(ステップＳ２０９)。一方、削除確認画面８０で「いいえ」ボタン８３が操作された場合は(ステップＳ２０８；Ｎ)、アクティブにされている送信先に対して削除処理を行うことなく削除確認画面８０を閉じる(ステップＳ２１０)。
【００７７】
リスト部６１に表示している送信先リストの中からいずれかの送信先が選択されてアクティブになっている状態下で変更ボタン６４が操作（押下）されると(ステップＳ２１１；Ｙ)、変更画面９０をポップアップ表示する(ステップＳ２１２)。変更画面９０においていずれかの変更操作ボタン９２が操作されると(ステップＳ２１３；Ｙ、Ｓ２１４；Ｙ)、図６にて説明したように、その変更操作ボタン９２に対応する変更処理を行いかつその変更処理に応じて送信リストの表示内容を変更した後、変更画面９０を閉じる（ステップＳ２１５）。変更画面９０においてキャンセルボタン９３が操作されると（ステップＳ２１４；Ｎ）、変更処理を行うことなく変更画面９０を閉じる（ステップＳ２１６）。
【００７８】
なお、図９の流れ図では図示省略しているが、変更画面９０が閉じている状態下で送信先選択画面７０の読込み設定画面へボタン７８が操作されると、送信先一覧表示領域６０の表示内容はそのまま常駐させて、読込み設定画面４０の表示状態に遷移する。
【００７９】
図１０は、読込み設定画面４０内のリスト部６１に表示されている送信先リストから送信先を削除もしくは変更する操作に関して当該画像送信装置１０の制御ＣＰＵ２１が行う処理の流れを示している。リスト部６１に表示されている送信先リストの中からいずれかの送信先がユーザにより選択されると(ステップＳ３０１；Ｙ)、その選択された送信先の送信リスト内での表示態様を選択状態（アクティブ）に変更する（ステップＳ３０２）。
【００８０】
その後、削除ボタン６５が操作（押下）されると(ステップＳ３０３；Ｙ)、削除確認画面８０をポップアップ表示する(ステップＳ３０４)。削除確認画面８０において「はい」ボタン８２が操作された場合は（ステップＳ３０５；Ｙ、Ｓ３０６；Ｙ）、アクティブになっている送信先を送信先リストから削除しかつ送信先としての設定を解除した後、削除確認画面８０を閉じる(ステップＳ３０７)。
【００８１】
一方、削除確認画面８０で「いいえ」ボタン８３が操作された場合は（ステップＳ３０６；Ｎ）、アクティブになっている送信先に対して削除処理を行うことなく削除確認画面８０を閉じる(ステップＳ３０８)。
【００８２】
リスト部６１に表示している送信先リストの中からいずれかの送信先が選択されてアクティブになっている状態下で変更ボタン６４が操作（押下）されると(ステップＳ３０９；Ｙ)、変更画面９０をポップアップ表示する(ステップＳ３１０)。変更画面９０においていずれかの変更操作ボタン９２が操作されると(ステップＳ３１１；Ｙ、Ｓ３１２；Ｙ)、図６で説明したと同様に、その変更操作ボタン９２に対応する変更処理を行いかつその変更処理に応じて送信リストの内容を変更した後、変更画面９０を閉じる（ステップＳ３１３）。変更画面９０においてキャンセルボタン９３が操作されると（ステップＳ３１２；Ｎ）、変更処理を行うことなく変更画面９０を閉じる（ステップＳ３１４）。
【００８３】
なお、変更画面９０が閉じている状態下で読込み設定画面４０の送信先設定画面へボタン５５が操作されると、送信先一覧表示領域６０の表示内容はそのまま常駐させて、送信先選択画面７０の表示状態に遷移するようになっている。
【００８４】
このように本実施の形態に係る画像送信装置１０では、送信先選択画面７０において送信先に選択された送信先の一覧（送信先リスト）を送信先選択画面７０の一部（送信先一覧表示領域６０のリスト部６１）に表示すると共に、該送信先リストから送信先を選択し、その選択した送信先に対して送信先の設定を解除する操作や、その送信先と宛先名が同一で送信方法が相違する送信先を追加したり、その送信先と宛先名が同一で送信方法が相違する送信先に変更したりする操作を行うことができる。これにより、一旦選択した送信先に対する削除や変更、あるいは選択した送信先と送信方法が異なる送信先の追加などの操作を少ない操作ステップで行うことができ、ユーザの操作負担が減少して利便性が向上する。
【００８５】
また、読込み設定画面４０にも送信先一覧表示領域６０が表示されると共に、該読込み設定画面４０に表示された送信先リストから送信先を選択し、その送信先に対して削除や追加などの変更操作を行うことができるので、それらの操作を送信先選択画面７０に戻って行う場合に比べて、操作ステップが少なく高い利便性・操作性がユーザに提供される。
【００８６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８７】
たとえば、読込み設定画面４０や送信先選択画面７０、削除確認画面８０、変更画面９０などの画面構成は一例であり、これに限定されるものではない。また、読込み設定画面４０と送信先選択画面７０とにおいて送信先一覧表示領域６０を同じ場所に同じ表示形態で表示するようにしたが、送信先一覧表示領域６０の表示される場所や表示形態は画面相互間で相違してもかまわない。読込み設定画面４０においてはその画面の一部に送信リストが表示され、該送信リストから送信先を選択し、この選択した送信先に関して削除や変更処理が可能となるように変更ボタン６４や削除ボタン６５が読込み設定画面４０内のいずれかの場所に配列されていればよい。
【００８８】
また、送信先選択画面７０以外の画面であって送信先一覧表示領域６０の表示される画面の一例として読込み設定画面４０を示したが、他の画面であってもかまわない。すなわち、送信先一覧表示領域６０の表示される別の画面は、送信先選択画面７０で選択した送信先に対して画像を送信するジョブに関する設定やそのジョブの投入を行う画面であればよく、読込み設定画面４０に限定されるものではない。たとえば、既に保存されている画像をハードディスク装置３３から読み出して指定の宛先に送信するといったジョブを投入する場合の設定画面、たとえば、読み出す画像を選択したり、その画像の解像度やファイル形式を設定したりする画面、に送信先一覧表示領域６０を表示し、該送信先一覧表示領域６０内の送信先リストから送信先を選択して送信先の削除や送信先に関する変更処理が可能となるように構成されてもよい。
【００８９】
また、実施の形態では送信方法別や送信先の宛先名別にグループ化して送信先リストを表示する際に、各グループ内においては送信先に選択された時系列に従って送信先を配列表示したが、グループ内での表示順序はこれに限定されない。たとえば、送信方法別の場合はグループ内で宛先名のあいうえお順に配列してもよい。一方、宛先名別の場合はＥ-Ｍａｉｌ、ＨＤＤ、ＦＴＰ、ＳＭＢの順に表示するというように固定の順序で配列してもよい。
【００９０】
実施の形態では、複数の送信方法が選択可能な画像送信装置１０を例に説明したが、送信方法は１種類のみであってもかまわない。また送信方法は例示した送信方法に限定されない。
【００９１】
このほか、実施の形態ではスキャナ部１１で読み取った画像を送信する画像送信装置１０を例に説明したが、送信対象の画像はスキャナ部１１で読み取ったものに限定されない。ハードディスク装置３３に保存された画像や外部装置から取得した画像であってもかまわない。
【図面の簡単な説明】
【００９２】
【図１】本発明の一実施の形態に係る画像送信装置の概略構成を示すブロック図である。
【図２】本発明の一実施の形態に係る画像送信装置の操作表示部に表示される読込み設定画面であって送信先が未設定の状態の一例を示す説明図である。
【図３】本発明の一実施の形態に係る画像送信装置の操作表示部に表示される送信先選択画面であって送信方法別にグループ化して送信先リストを表示した場合の一例を示す説明図である。
【図４】図３の送信先選択画面において宛先名別にグループ化して送信先リストを表示した場合の一例を示す説明図である。
【図５】送信先選択画面の上に削除確認画面がポップアップ表示された状態の一例を示す説明図である。
【図６】送信先選択画面の上に変更画面がポップアップ表示された状態の一例を示す説明図である。
【図７】本発明の一実施の形態に係る画像送信装置の操作表示部に表示される読込み設定画面であって送信先リストに送信先が一覧表示された状態の一例を示す説明図である。
【図８】本発明の一実施の形態に係る画像送信装置において読込み設定画面の上に削除確認画面がポップアップ表示された状態の一例を示す説明図である。
【図９】本発明の一実施の形態に係る画像送信装置が送信先選択画面での送信先の選択および送信先リストからの削除や変更操作に関して行う処理の流れを示す流れ図である。
【図１０】本発明の一実施の形態に係る画像送信装置読込み設定画面内の送信先一覧表示領域に表示したで送信先リストから送信先を削除もしくは変更する操作に関して行う処理の流れを示す流れ図である。
【図１１】従来の送信先選択画面の一例を示す説明図である。
【図１２】従来の読込み設定画面の一例を示す説明図である。
【符号の説明】
【００９３】
１０…画像送信装置
１１…スキャナ部
１２…プリンタ部
１３…操作表示部
１４…ＦＮＳ制御部
２０…本体制御部
２１…制御ＣＰＵ
２２…画像バス
２３…システムバス
２４…読み取り処理部
２５…書き込み処理部
２６…プログラムメモリ
２７…システムメモリ
２８…不揮発メモリ
３１…ＶＲＡＭ
３２…ＬＣＤコントローラ
３３…ハードディスク装置
３５…送信部
４０…読込み設定画面
４０ａ…読込み設定領域
４１〜４８…各設定欄
５１…タグボタン
５１ｂ…スキャナのタグボタン
５２…基本情報表示部
５５…送信先設定画面へボタン
６０…送信先一覧表示領域
６１…リスト部
６２…表示切替ボタン
６３…上下キー
６４…変更ボタン
６５…削除ボタン
７０…送信先選択画面
７１…宛先表示領域
７２…送信方法選択ボタン
７２ａ…Ｅ−Ｍａｉｌボタン
７２ｂ…ＨＤＤボタン
７２ｃ…ＦＴＰボタン
７２ｄ…ＳＭＢボタン
７２ｅ…グループボタン
７３…検索文字タイプ選択ボタン
７４…宛先列挙領域
７５…個別宛先ボタン
７６…上下キー
７８…読込み設定画面へボタン
８０…削除確認画面
８１…削除内容を説明する文書
８２…「はい」ボタン
８３…「いいえ」ボタン
９０…変更画面
９１…変更対象の送信先に関する説明文
９２ａ〜９２ｄ…変更操作ボタン
９３…キャンセルボタン
【図１】
2008259143.tif 000003
【図２】
2008259143.tif 000004
【図３】
2008259143.tif 000005
【図４】
2008259143.tif 000006
【図５】
2008259143.tif 000007
【図６】
2008259143.tif 000008
【図７】
2008259143.tif 000009
【図８】
2008259143.tif 000010
【図９】
2008259143.tif 000011
【図１０】
2008259143.tif 000012
【図１１】
2008259143.tif 000013
【図１２】
2008259143.tif 000014